【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
第２の装置が第１のヘッダ情報を記憶するための要求を生成することと、ここにおいて、前記要求は前記第１のヘッダ情報を備える、
前記第２の装置からの応答を受信することと、
前記第２の装置が前記第１のヘッダ情報を記憶するかどうか決定するために、前記第２の装置からの前記応答を復号することと、
第１のヘッダを生成することと、前記第１のヘッダは、前記第２の装置が前記第１のヘッダ情報を記憶する場合、その中に前記第１のヘッダ情報をもたずに生成される、
を行うように構成された処理システムと、
前記要求と前記第１のヘッダとを、前記第２の装置への送信用に出力するためのインターフェースと、
ここにおいて、前記要求の前記第１のヘッダ情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備え、前記要求は、第１のフィールド記憶指示または第２のフィールド記憶指示のうちの少なくとも１つをさらに備え、前記第１のフィールド記憶インジケータは、前記第２の装置に、前記第１のフィールドを記憶するよう要求するために１に設定され、前記第２のフィールド記憶インジケータは、前記第２の装置に、前記第２のフィールドを記憶するよう要求するために１に設定される、
を備える、第１の装置。
【請求項２】
前記処理システムは、第２のヘッダ情報を含むように第２のヘッダを生成することと、ここにおいて、前記第２のヘッダ情報は前記第１のヘッダ情報とは異なり、前記第２のヘッダ情報をもたずに第３のヘッダを生成することとを行うようにさらに構成され、前記インターフェースは、前記第２および第３のヘッダを前記第２の装置への送信用に出力するようにさらに構成される、請求項１に記載の第１の装置。
【請求項３】
前記処理システムは、前記第１のヘッダが前記第１のヘッダ情報を含まないことを前記第２の装置に対して示すように前記第１のヘッダを生成するようにさらに構成される、請求項１に記載の第１の装置。
【請求項４】
前記第１のヘッダ情報は、ブロック連鎖メッセージ認証コードプロトコルつきカウンタ暗号モード（ＣＣＭＰ）ヘッダに関連付けられた１つまたは複数のパケット番号を備える、請求項１に記載の第１の装置。
【請求項５】
前記第１のヘッダ情報は、暗号ブロック連鎖メッセージ認証コードプロトコルつきカウンタモード（ＣＣＭＰ）ヘッダに関連付けられたキー識別子を備える、請求項１に記載の第１の装置。
【請求項６】
前記第１のヘッダ情報は、アグリゲートＭＳＤＵ（Ａ−ＭＳＤＵ）中にカプセル化されたＭＡＣサービスデータユニット（ＭＳＤＵ）に関連付けられた宛先アドレスまたはソースアドレス情報を備える、請求項１に記載の第１の装置。
【請求項７】
前記要求は、前記第２の装置に第１のＡ−ＭＳＤＵを送信するための許可をさらに要求するように生成され、前記第１のＡ−ＭＳＤＵはソースアドレスフィールドも宛先アドレスフィールドも含まない、請求項１に記載の第１の装置。
【請求項８】
前記要求は、第１のＡ−ＭＳＤＵと第２のＡ−ＭＳＤＵの両方を前記第２の装置に送信するための許可をさらに要求するように生成され、前記第１のＡ−ＭＳＤＵはソースアドレスフィールドも宛先アドレスフィールドも含まず、前記第２のＡ−ＭＳＤＵはソースアドレスフィールドと宛先アドレスフィールドとを含む、請求項７に記載の第１の装置。
【請求項９】
ワイヤレス通信のための方法であって、
第１のワイヤレスデバイスによって、第２のワイヤレスデバイスが第１のヘッダ情報を記憶するための要求を送信用に生成および出力することと、ここにおいて、前記要求は前記第１のヘッダ情報を備える、
前記第２のワイヤレスデバイスからの応答を受信することと、
前記第２のワイヤレスデバイスが前記第１のヘッダ情報を記憶するかどうか決定するために、前記第２のワイヤレスデバイスからの前記応答を復号することと、
第１のヘッダを生成することと、前記第１のヘッダは、前記第２のワイヤレスデバイスが前記第１のヘッダ情報を記憶する場合、その中に前記第１のヘッダ情報をもたずに生成される、
前記第１のヘッダを、前記第２のワイヤレスデバイスへの送信用に出力することと、
ここにおいて、前記要求の前記第１のヘッダ情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備え、前記要求は、第１のフィールド記憶インジケータまたは第２のフィールド記憶インジケータのうちの少なくとも１つをさらに備え、前記第１のフィールド記憶インジケータは、前記第２の装置に、前記第１のフィールドを記憶するよう要求するために１に設定され、前記第２のフィールド記憶インジケータは、前記第２の装置に、前記第２のフィールドを記憶するよう要求するために１に設定される、
を備える、方法。
【請求項１０】
ワイヤレス通信のための第１の装置であって、
第２の装置からの要求を受信することと、ここにおいて、前記要求は第１のヘッダ情報を備える、
前記第１のヘッダ情報を記憶するための要求を識別するために、前記第２の装置からの前記要求を復号することと、
前記第１の装置が前記第１のヘッダ情報を記憶するかどうかを示す応答を生成することと、
前記第１のヘッダ情報を第１の記憶ヘッダ情報として記憶することと、
前記第２の装置からの第１のヘッダを受信することと、
前記第１のヘッダが前記第１のヘッダ情報に対応するヘッダ情報を含まないと決定することと、
前記第１のヘッダが前記対応するヘッダ情報を含まない場合、前記第１の記憶ヘッダ情報に基づいて前記第１のヘッダを処理することと
を行うように構成された処理システムと、
前記応答を、前記第２の装置への送信用に出力するためのインターフェースと、
ここにおいて、前記要求の前記第１のヘッダ情報は、第１のフィールドまたは第２のフィールドのうちの少なくとも１つを備え、前記第１のフィールドまたは前記第２のフィールドのうちの前記少なくとも１つは前記第１のヘッダに関連付けられたソースアドレスまたは宛先アドレスを備え、前記要求は、第１のフィールド記憶インジケータまたは第２のフィールド記憶インジケータのうちの少なくとも１つをさらに備え、前記第１のフィールド記憶インジケータは、前記第１の装置に、前記第１のフィールドを記憶するよう要求するために１に設定され、前記第２のフィールド記憶インジケータは、前記第１の装置に、前記第２のフィールドを記憶するよう要求するために１に設定される、
を備える、第１の装置。
【請求項１１】
前記処理システムは、
前記第２の装置からの第２のヘッダを受信することと、
前記第２の装置からの前記第２のヘッダを復号することと、
前記第２のヘッダが、前記第１のヘッダ情報に対応する第２のヘッダ情報を含むと決定することと、
前記第２のヘッダ情報を第２の記憶ヘッダ情報として記憶することと、
前記第２の装置からの第３のヘッダを受信することと、
前記第２の装置からの前記第３のヘッダを復号することと、
前記第３のヘッダが、前記第２のヘッダ情報に対応するヘッダ情報を含まないと決定することと、
前記第２の記憶ヘッダ情報に基づいて前記第３のヘッダを処理することと
を行うようにさらに構成される、請求項１０に記載の第１の装置。
【請求項１２】
前記応答は、前記装置によって処理可能であるＡ−ＭＳＤＵのタイプを示す少なくとも１ビットを備えるように生成される、請求項１０に記載の第１の装置。
【請求項１３】
前記処理システムは、Ａ−ＭＳＤＵのタイプを示す、前記応答中の前記少なくとも１ビットを、第１のＡ−ＭＳＤＵ、第２のＡ−ＭＳＤＵ、または前記第１および前記第２のＡ−ＭＳＤＵのうちの１つを示す値に設定するようにさらに構成され、前記第１のＡ−ＭＳＤＵはソースアドレスフィールドも宛先アドレスフィールドも含まず、前記第２のＡ−ＭＳＤＵは、ソースアドレスフィールドまたは宛先アドレスフィールドを含む、請求項１２に記載の第１の装置。
【請求項１４】
ワイヤレス通信のための方法であって、
第１のワイヤレスデバイスによって、第２のワイヤレスデバイスからの要求を受信することと、ここにおいて、前記要求は第１のヘッダ情報を備える、
前記第１のヘッダ情報を記憶するために、前記第１のワイヤレスデバイスによって、前記第２のワイヤレスデバイスからの前記要求を復号することと、
前記第１のワイヤレスデバイスが前記第１のヘッダ情報を記憶するかどうかを示す応答を生成することと、
前記応答を、前記第２のワイヤレスデバイスへの送信用に出力することと、
前記第１のヘッダ情報を第１の記憶ヘッダ情報として記憶することと、
前記第１のワイヤレスデバイスによって、前記第２のワイヤレスデバイスからの第１のヘッダを受信することと、
前記第１のヘッダが、前記第１のヘッダ情報に対応するヘッダ情報を含まないと決定することと、
前記第１のヘッダが前記対応するヘッダ情報を含まない場合、
前記第１の記憶ヘッダ情報に基づいて前記第１のヘッダを処理することと、
ここにおいて、前記要求の前記第１のヘッダ情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備え、前記要求は、第１のフィールド記憶インジケータまたは第２のフィールド記憶インジケータのうちの少なくとも１つをさらに備え、前記第１のフィールド記憶インジケータは、前記第１のワイヤレスデバイスに、前記第１のフィールドを記憶するよう要求するために１に設定され、前記第２のフィールド記憶インジケータは、前記第１のワイヤレスデバイスに、前記第２のフィールドを記憶するよう要求するために１に設定される、
を備える、方法。
【請求項１５】
実行されると、プロセッサに請求項９および１４のうちのいずれか一項に記載の方法のステップを行わせる命令が符号化された、コンピュータ可読媒体を備えるコンピュータプログラム製品。